(57)【要約】【課題】　充電器２に装着した状態では、節電モードを解除する操作を行なうことなく、常時、カラーＬＣＤ11の全表示領域にデータを表示させることが出来る携帯電子機器を提供する。【解決手段】　本発明に係る携帯電子機器は、全表示領域を動作させる全域動作モードと一部の表示領域のみを動作させる一部領域動作モードとの間で切換え設定が可能なカラーＬＣＤ11、カラーＬＣＤ11の電源となる二次電池17及びマイクロコンピュータ７を具えている。マイクロコンピュータ７は、充電器２に装着されていない状態では、ユーザ操作がないときはカラーＬＣＤ11を一部領域動作モードに設定し、充電器２に装着されている状態では、カラーＬＣＤ11を常時、全域動作モードに設定する。【選択図】　　　図１
2004140848.tif 000002
【特許請求の範囲】
【請求項１】
画像表示装置と、商用電源或いは内蔵せる二次電池から電力の供給を受けて画像表示装置の画面を照明する照明装置とを具え、充電器に装着することにより、該状態が検知されて二次電池の充電が開始される携帯電子機器において、前記画像表示装置は、全表示領域を動作させる全域動作モードと、一部の表示領域のみを動作させることによって必要最小限の画像表示を行なう一部領域動作モードとの間で切換え設定が可能であって、
　充電器に装着されていない状態では、ユーザ操作がないときは画像表示装置を一部領域動作モードに設定し、充電器に装着されている状態では、常時、全域動作モードに設定するモード切換え手段
を具えていることを特徴とする携帯電子機器。
【請求項２】
画像表示装置と、商用電源或いは内蔵せる二次電池から電力の供給を受けて画像表示装置の画面を照明する照明装置とを具え、充電器に装着することにより、該状態が検知されて二次電池の充電が開始される携帯電子機器において、前記画像表示装置は、全表示領域を動作させる全域動作モードと、一部の表示領域のみを動作させることによって必要最小限の画像表示を行なう一部領域動作モードとの間で切換え設定が可能であって、
　充電器に装着されていない状態では、ユーザ操作が一定時間以上に亘って行なわれないときに、照明装置に供給すべき電力を減少させる制御を行なう手段と、
　充電器に装着されていない状態では、ユーザ操作がないときに画像表示装置を一部領域動作モードに設定する手段と、
　充電器に装着されている状態では、照明装置に常時、所定の大きさの電力を供給する制御を行なう手段と、
　充電器に装着されている状態では、画像表示装置を常時、全域動作モードに設定する手段
とを具えていることを特徴とする携帯電子機器。
【請求項３】
前記照明装置は、複数の照明器を配列して構成されており、ユーザ操作があったときに前記複数の全ての照明器に電力を供給する一方、充電器に装着されている状態では、前記複数の照明器の内、画像表示装置の画面を表示の読取りが可能な最低限の明るさで照明するために必要な一部の照明器のみに常時、電力を供給する電力制限手段
を具えている請求項２に記載の携帯電子機器。
【発明の詳細な説明】
【技術分野】
【０００１】
　本発明は、画像表示装置と、商用電源或いは内蔵せる二次電池から電力の供給を受けて画像表示装置の画面を照明する照明装置とを具えた携帯電話機等の携帯電子機器に関するものである。
【背景技術】
【０００２】
　従来、普及している携帯電話機は、テンキー等の複数の操作キー、モノクロＬＣＤ(液晶ディスプレイ)及び該ＬＣＤの画面に照光するＬＣＤバックライトを具えている。ＬＣＤには、操作キーが操作されたときに、該操作によって入力された文字等のデータが表示されると共に、着信の待受け時には、日付や現在時刻等の各種データが表示される。
　又、携帯電話機には、電源として二次電池が内蔵されており、該二次電池からＬＣＤに電力が供給されてＬＣＤにデータが表示されると共に、該二次電池からＬＣＤバックライトに電力が供給されてＬＣＤバックライトが点灯される。
【０００３】
　上記携帯電話機において、仮に、二次電池からＬＣＤバックライトに常時、電力を供給してＬＣＤバックライトを点灯することとした場合、消費電力が大きいために二次電池の電池寿命が短くなって、待受け可能時間が短くなる問題がある。
　そこで、従来の携帯電話機においては、消費電力を節減すべく、操作キーが操作されたときや着信があったときにのみ、二次電池からＬＣＤバックライトに電力を供給してＬＣＤバックライトを点灯することとし、着信の待受け時には、ＬＣＤバックライトに対する電力の供給を停止してＬＣＤバックライトを消灯することとしている。
　尚、ＬＣＤバックライトが消灯されている状態であっても、モノクロＬＣＤに表示されるデータは見易い。
【０００４】
　近年、カラーＬＣＤを具えた携帯電話機が市場に出始めており、該携帯電話機においても、モノクロＬＣＤを具えた上記携帯電話機と同様に、消費電力を節減すべく、操作キーが操作されたときや着信があったときにのみ、ＬＣＤバックライトを点灯することとし、着信の待受け時には、ＬＣＤバックライトを消灯することとしている。
　尚、カラーＬＣＤとしては半透過型ＬＣＤが採用されており、ＬＣＤバックライトが消灯されている状態では、該ＬＣＤの表示は見づらいが、外出中、着信の待受け時にＬＣＤの表示を見ることは稀であるため、ＬＣＤバックライトを消灯することが携帯電話機の使用に支障を与えることはない。
【０００５】
　又、カラーＬＣＤは、同程度の大きさのモノクロＬＣＤよりも消費電力が大きいため、ＬＣＤの表示領域の一部のみを駆動して消費電力を減小させる節電モードが用意されており、キー操作によって節電モードを設定することが可能となっている。
　例えば、ＬＣＤバックライトが消灯された時点では、図３に示す如くＬＣＤの全表示領域に４行の文字データが表示される携帯電話機においては、節電モードに設定しておけば、ＬＣＤバックライトが消灯された後、図４に示す如く前記４行の文字データの内、中央の２行の文字データのみが一部の表示領域に表示されることになる。
【発明の開示】
【発明が解決しようとする課題】
【０００６】
　ところで、携帯電話機に内蔵されている二次電池は、図５に示す充電器(２)によって充電することが可能である。充電器(２)には、携帯電話機(１)の収容凹部(24)が設けられており、携帯電話機(１)を充電器(２)に装着することによって、携帯電話機(１)に設けられた充電端子(15)(15)と、充電器(２)に設けられた電源供給端子(23)(23)とが互いに接触し、携帯電話機(１)の二次電池が充電される。
【０００７】
　ユーザは、例えば帰宅後、二次電池を充電するために携帯電話機(１)を充電器(２)に装着し、この状態で、時計やカレンダーの代わりに、ＬＣＤに表示されている日付や現在時刻を見ることがある。特に、近年の画像処理技術や通信技術の発達によってイメージデータ等の各種データをＬＣＤに表示することが可能となっており、ＬＣＤの表示を見る機会が増加している。
【０００８】
　しかしながら、上記従来の携帯電話機(１)においては、外出中に携帯電話機(１)を節電モードに設定して、帰宅後に該携帯電話機(１)を節電モードのまま充電器(２)に装着した場合、上述の如くＬＣＤの表示領域の一部にのみデータが表示され、ＬＣＤの全表示領域にデータを表示させるためには、節電モードを解除する操作を行なわねばならず、この操作が面倒である問題があった。
　そこで本発明の目的は、ユーザ操作がないときには画像表示装置の表示領域の一部を駆動する節電モードの設定が可能であって、充電器に装着した状態では、節電モードを解除する操作を行なうことなく、常時、画像表示装置の全表示領域にデータを表示させることが出来る携帯電子機器を提供することである。
【課題を解決するための手段】
【０００９】
　そこで本発明者らは、上記問題点を解決すべく鋭意研究を行なった結果、携帯電話機が充電器に装着されて二次電池が充電されている状態では、二次電池の電池寿命を考慮して消費電力を節減する必要がないことに着目し、本発明の完成に至った。
【００１０】
　本発明に係る第１の携帯電子機器は、画像表示装置と、商用電源或いは内蔵せる二次電池から電力の供給を受けて画像表示装置の画面を照明する照明装置とを具え、充電器に装着することにより、該状態が検知されて二次電池の充電が開始されるものである。そして、前記画像表示装置は、全表示領域を動作させる全域動作モードと、一部の表示領域のみを動作させることによって必要最小限の画像表示を行なう一部領域動作モードとの間で切換え設定が可能であって、携帯電子機器は、
　充電器に装着されていない状態では、ユーザ操作がないときは画像表示装置を一部領域動作モードに設定し、充電器に装着されている状態では、常時、全域動作モードに設定するモード切換え手段
を具えている。
【００１１】
　上記本発明に係る第１の携帯電子機器においては、充電器に装着されていない状態では、ユーザ操作がないときには、画像表示装置が一部領域動作モードに設定されており、画像表示装置の表示領域の一部のみが駆動されて表示領域の一部のみに画像が表示されている。そして、ユーザ操作があったときに、画像表示装置が全域動作モードに設定され、画像表示装置の全表示領域が駆動されて全表示領域に画像が表示される。
　この様にして、ユーザ操作がないときには、画像表示装置の表示領域の一部のみを駆動することによって、二次電池から画像表示装置に供給される電力が減少して、消費電力が節減される。
【００１２】
　これに対し、充電器に装着されている状態では、画像表示装置が常時、全域動作モードに設定され、画像表示装置の全表示領域が駆動されて全表示領域に画像が表示される。
　従って、例えば節電モードを設定して、帰宅後に節電モードのまま充電器に装着したとしても、節電モードを解除する操作を行なうことなく、画像表示装置の全表示領域に画像を表示させることが出来る。このとき、商用電源から得られる電力が二次電池に供給されて、二次電池の充電が行なわれているので、常時、画像表示装置の全表示領域を駆動することが二次電池の電池寿命に悪影響を及ぼすことはない。
【００１３】
　本発明に係る第２の携帯電子機器は、画像表示装置と、商用電源或いは内蔵せる二次電池から電力の供給を受けて画像表示装置の画面を照明する照明装置とを具え、充電器に装着することにより、該状態が検知されて二次電池の充電が開始されるものである。そして、前記画像表示装置は、全表示領域を動作させる全域動作モードと、一部の表示領域のみを動作させることによって必要最小限の画像表示を行なう一部領域動作モードとの間で切換え設定が可能であって、携帯電子機器は、
　充電器に装着されていない状態では、ユーザ操作が一定時間以上に亘って行なわれないときに、照明装置に供給すべき電力を減少させる制御を行なう手段と、
　充電器に装着されていない状態では、ユーザ操作がないときに画像表示装置を一部領域動作モードに設定する手段と、
　充電器に装着されている状態では、照明装置に常時、所定の大きさの電力を供給する制御を行なう手段と、
　充電器に装着されている状態では、画像表示装置を常時、全域動作モードに設定する手段
とを具えている。
【００１４】
　上記本発明に係る第２の携帯電子機器においては、充電器に装着されていない状態では、ユーザ操作がないときには、画像表示装置が一部領域動作モードに設定されており、画像表示装置の表示領域の一部のみが駆動されて表示領域の一部のみに画像が表示されている。そして、ユーザ操作が一定時間以上に亘って行なわれないときには、二次電池から照明装置に供給すべき電力が小さく設定されて画像表示装置の画面の明るさが落される。これに対し、ユーザ操作があったときには、画像表示装置が全域動作モードに設定され、画像表示装置の全表示領域が駆動されて全表示領域に画像が表示されると共に、二次電池から照明装置に大きな電力が供給されて、画像表示装置の画面が充分な明るさで照明される。
　この様にして、ユーザ操作がないときには画像表示装置の表示領域の一部のみを駆動する共に、照明装置に供給すべき電力を減少させることによって、消費電力が節減される。
【００１５】
　これに対し、充電器に装着されている状態では、画像表示装置が常時、全域動作モードに設定され、画像表示装置の全表示領域が駆動されて全表示領域に画像が表示される。従って、例えば節電モードを設定して、帰宅後に節電モードのまま充電器に装着したとしても、節電モードを解除する操作を行なうことなく、画像表示装置の全表示領域に画像を表示させることが出来る。
　又、充電器に装着されている状態では、ユーザ操作の有無に拘わらず、商用電源或いは二次電池から照明装置に供給すべき電力が常時、所定の大きさに設定されて、画像表示装置の画面が充分な明るさで照明される。この様にして、画像表示装置は常時、照明装置によって充分な明るさで照明されているので、該画像表示装置の表示は見易いものとなる。
　尚、充電器に装着されている状態では、商用電源から得られる電力が二次電池に供給されて二次電池の充電が行なわれているので、上述の如く、常時、画像表示装置の全表示領域を駆動すると共に照明装置に大きな電力を供給するが二次電池の電池寿命に悪影響を及ぼすことはない。
【００１６】
　具体的には、前記照明装置は、複数の照明器を配列して構成されており、ユーザ操作があったときに前記複数の全ての照明器に電力を供給する一方、充電器に装着されている状態では、前記複数の照明器の内、画像表示装置の画面を表示の読取りが可能な最低限の明るさで照明するために必要な一部の照明器のみに常時、電力を供給する電力制限手段
を具えている。
【００１７】
　充電器に装着されていない状態では、ユーザ操作が一定時間以上に亘って行なわれないときには、上述の如く画像表示装置の画面の明るさが落されており、ユーザ操作があったときに、画像表示装置の画面の明るさが上げられる。このとき、上記具体的構成においては、照明装置を構成する全ての照明器に電力が供給されて、画像表示装置の画面が充分な明るさで照明される。
　これに対し、充電器に装着されている状態では、上述の如く照明装置が常時点灯されて画像表示装置の画面が照明されることになるが、上記具体的構成においては、点灯すべき照明器の数が減らされて、画像表示装置の画面は、ユーザが該画面の表示を読み取ることが出来る最低限の明るさで照明される。
　この様にして、照明装置に供給すべき電力を減少させることによって、消費電力が節減される。
【発明の効果】
【００１８】
　本発明に係る携帯電子機器によれば、充電器に装着した状態では、節電モードを解除する操作を行なうことなく、常時、画像表示装置の全表示領域にデータを表示させることが出来る。
【発明を実施するための最良の形態】
【００１９】
　以下、本発明を携帯電話機に実施した形態につき、図面に沿って具体的に説明する。
　図１は、本発明に係る携帯電話機(１)と充電器(２)の構成を表わしている。携帯電話機(１)は、送受信回路、変復調回路、ＣＤＭＡ(code division multiple access)処理若しくはＴＤＭＡ(time division multiple access)処理を行なう多重化処理回路、音声処理回路等からなる電話回路(４)を具え、マイクロホン(５)から入力された送話音声をアンテナ(３)から電波として送信すると共に、アンテナ(３)により受信された受話音声をスピーカ(６)から放音することが可能である。
【００２０】
　電話回路(４)には、ＣＰＵ(８)、メモリ(９)、バス(10)などからなるマイクロコンピュータ(７)が接続されており、マイクロコンピュータ(７)によって電話回路(４)の動作が制御されている。
　又、マイクロコンピュータ(７)のバス(10)には、カラーＬＣＤ(11)、ＬＣＤバックライト(12)、リンガー(13)及び操作キー(14)が接続されている。
　カラーＬＣＤ(11)は、マイクロコンピュータ(７)から全域動作指令を受けて、全表示領域を駆動する一方、一部領域動作指令を受けて、表示領域の一部を駆動する。
【００２１】
　更に、携帯電話機(１)には充電端子(15)が設けられ、該充電端子(15)は充電回路(16)を介して電源となる二次電池(17)に接続されている。
　二次電池(17)からは、第１電力供給線(171)及び第２電力供給線(172)が伸びており、第１電力供給線(171)の先端には前記カラーＬＣＤ(11)が接続される一方、第２電力供給線(172)の先端には前記ＬＣＤバックライト(12)が接続されている。
　第２電力供給線(172)には電力供給スイッチ(170)が設けられており、該スイッチ(170)は、マイクロコンピュータ(７)によってオン／オフ制御されている。該スイッチ(170)がオンになると、二次電池(17)からＬＣＤバックライト(12)に電力が供給されて、ＬＣＤバックライト(12)が点灯されるのに対し、該スイッチ(170)がオフになると、二次電池(17)からＬＣＤバックライト(12)に対する電力の供給が停止されて、ＬＣＤバックライト(12)が消灯される。
【００２２】
　一方、充電器(２)には、商用電力系統から得られるＡＣ１００Ｖの電源を直流に変換するＡＣ／ＤＣ変換回路(21)と、これによって得られる直流電源を携帯電話機(１)へ供給するための電源供給回路(22)とを具え、電源供給回路(22)の出力端は電源供給端子(23)に接続されている。
　携帯電話機(１)を充電器(２)に装着することによって、携帯電話機(１)の充電端子(15)と充電器(２)の電源供給端子(23)とが互いに接触し、二次電池(17)の充電が行なわれる。
　尚、携帯電話機(１)の充電端子(15)には電圧検出回路(18)が接続されており、電圧検出回路(18)は、充電器(２)の電源供給端子(23)から供給される電源電圧の有無を検出して、その検出結果をマイクロコンピュータ(７)へ供給する。これによって充電回路(16)の動作が制御される。
【００２３】
　上記携帯電話機(１)においては、操作キーが操作されたときや着信があったときに、ＬＣＤバックライト(12)が点灯され、図３に示す如くカラーＬＣＤ(11)の全表示領域が駆動されてデータが表示される。
　その後、操作キーに対する操作が一定時間以上に亘って行なわれなかった場合には、ＬＣＤバックライト(12)が消灯される。但し、カラーＬＣＤ(11)によるデータ表示は継続される。
　又、上記携帯電話機(１)は、節電モードの設定が可能であって、節電モードに設定されている場合は、カラーＬＣＤ(11)の表示領域の内、一部の表示領域の駆動が停止されて、図４に示す如く残りの表示領域によって必要最小限のデータ表示が行なわれる。
　尚、上記動作は、カラーＬＣＤを具えた上記従来の携帯電話機と全く同一であるので、ここでは、具体的な説明を省略する。
【００２４】
　図２は、本発明のマイクロコンピュータ(７)による制御手続きを表わしている。
　先ずステップＳ１では、電圧検出回路(18)からの信号によって充電端子(15)に電圧が印加されているか否かを判断し、ノーと判断された場合はステップＳ１にて同じ判断を繰り返す。
　これに対し、携帯電話機(１)が充電器(２)に装着されてステップＳ１にてイエスと判断された場合は、ステップＳ２に移行して、節電モードに設定されているか否かを判断する。
【００２５】
　節電モードに設定されていない場合は、ステップＳ２にてノーと判断されてステップＳ３に移行し、電力供給スイッチ(170)をオンにする。この結果、ＬＣＤバックライト(12)に電力が供給されて、ＬＣＤバックライト(12)が点灯されることになる。
　続いてステップＳ４では、ステップＳ１と同様にして、充電端子(15)に電圧が印加されているか否かを判断し、イエスと判断された場合は、ステップＳ４にて同じ判断を繰り返す。
　その後、携帯電話機(１)が充電器(２)から取り出されると、ステップＳ４にてノーと判断されてステップＳ５に移行し、電力供給スイッチ(170)をオフにする。この結果、ＬＣＤバックライト(12)に対する電力の供給が停止されて、ＬＣＤバックライト(12)が消灯されることになる。
【００２６】
　これに対し、節電モードに設定されている場合は、ステップＳ２にてイエスと判断されてステップＳ６に移行し、カラーＬＣＤ(11)に対して全域動作指令を発すると共に、電力供給スイッチ(170)をオンにする。この結果、カラーＬＣＤ(11)の全表示領域が駆動されて全表示領域にデータが表示されると共に、ＬＣＤバックライト(12)に電力が供給されて、ＬＣＤバックライト(12)が点灯されることになる。
【００２７】
　続いてステップＳ７では、ステップＳ１と同様にして、充電端子(15)に電圧が印加されているか否かを判断し、イエスと判断された場合は、ステップＳ７にて同じ判断を繰り返す。
　その後、携帯電話機(１)が充電器(２)から取り出されると、ステップＳ７にてノーと判断されてステップＳ８に移行し、カラーＬＣＤ(11)に対して一部領域動作指令を発すると共に、電力供給スイッチ(170)をオフにする。この結果、カラーＬＣＤ(11)の表示領域の一部のみが駆動されて該表示領域の一部にのみデータが表示されると共に、ＬＣＤバックライト(12)に対する電力の供給が停止されて、ＬＣＤバックライト(12)が消灯されることになる。
【００２８】
　上述の如く、本発明に係る携帯電話機(１)においては、節電モードに設定されていない場合は、充電器(２)に装着すると、その時点でＬＣＤバックライト(12)が点灯され、その後、充電器(２)から取り出すと、その時点でＬＣＤバックライト(12)が消灯される。
　この様に、充電器(２)に装着されている状態では、ＬＣＤバックライト(12)が常時、点灯されているので、カラーＬＣＤ(11)に表示されるデータは見易い。尚、節電モードに設定されていない場合は、常時、図３に示す如くカラーＬＣＤ(11)の全表示領域にデータが表示されている。
【００２９】
　これに対し、節電モードに設定されている場合は、充電器(２)に装着すると、
その時点で、図３に示す如くカラーＬＣＤ(11)の全表示領域にデータが表示されると共に、ＬＣＤバックライト(12)が点灯され、その後、充電器(２)から取り出すと、その時点で、図４に示す如くカラーＬＣＤ(11)の表示領域の一部にのみデータが表示されると共に、ＬＣＤバックライト(12)が消灯される。
　この様に、節電モードに設定されている場合であっても、充電器(２)に装着すれば、常時、カラーＬＣＤ(11)の全表示領域にデータが表示されることになるので、節電モードを解除する操作は不要である。又、充電器(２)に装着されている状態では、ＬＣＤバックライト(12)が常時、点灯されているので、カラーＬＣＤ(11)に表示されるデータは見易い。
【００３０】
　尚、本発明の各部構成は上記実施の形態に限らず、特許請求の範囲に記載の技術的範囲内で種々の変形が可能である。
　例えば、携帯電話機(１)が充電器(２)に装着されたことの検知は、充電端子(15)の電圧を検出する方式に限らず、磁気センサー等の専用の検出センサーを設ける方式も採用可能である。
　又、上記実施の形態においては、１つのＬＣＤバックライト(12)を設けているが、複数のＬＣＤバックライトを設けて、携帯電話機(１)が充電器(２)に装着されている状態では、これら複数のＬＣＤバックライトの内、一部のみのバックライトを点灯する構成を採用することも可能である。
　又、上記実施の形態においては、着信の待受け時にＬＣＤバックライト(12)を消灯する構成を採用しているが、これに限らず、ＬＣＤバックライト(12)の輝度を低下させる構成を採用することも可能である。
【図面の簡単な説明】
【００３１】
【図１】本発明に係る携帯電話機及び充電器の構成を表わすブロック図である。
【図２】本発明のマイクロコンピュータによる制御手続きを表わすフローチャートである。
【図３】全表示領域にデータが表示されているＬＣＤ画面を表わす図である。
【図４】節電モードにおいて、表示領域の一部にデータが表示されているＬＣＤ画面を表わす図である。
【図５】携帯電話機と充電器の外観を表わす斜視図である。
【符号の説明】
【００３２】
(１)　携帯電話機
(７)　マイクロコンピュータ
(11)　カラーＬＣＤ
(12)　ＬＣＤバックライト
(15)　充電端子
(17)　二次電池
(170)　電力供給スイッチ
(２)　充電器
(23)　電源供給端子
【図１】
2004140848.tif 000003
【図２】
2004140848.tif 000004
【図３】
2004140848.tif 000005
【図４】
2004140848.tif 000006
【図５】
2004140848.tif 000007